(57)【特許請求の範囲】
【請求項１】
スライドする載置板と、この載置板の先端部に位置する前板と、この前板を前記載置板に着脱自在に取り付ける接合手段を具備した収納装置において、
前記接合手段は、前記載置板の先端部において正面向きに固定される基部と、前記前板に前記基部と対向して固定される被接合部材と、前記基部と前記被接合部材を前記載置板の正面側で連結する連結部材とを備え、
前記基部は、前記載置板に固定された取付板と、この取付板の前記前板側の端部から立設された接合板と、この接合板の上縁中央部から下方に向かって形成された切欠と、この切欠の先端において繋がる水平方向に形成された長孔と、この長孔の下方において水平方向に延びた支持部とを有するものであり、
前記被接合部材は、前記前板に対し、前記前板が水平方向の傾き及び高さ方向の位置調整を行えるように固定されるものであり、
前記連結部材は、一端が前記被接合部材に固定され他端が前記基部の前記長孔に装入されるものであり、
前記連結部材の他端が前記長孔に装入され、かつ、前記被接合部材が前記支持部に支持された状態で、前記被接合部材を前記前板に固定したことを特徴とする収納装置。
【請求項２】
上記請求項１に記載の収納装置が、端部の狭い空間に取り付けられたことを特徴とするシステムキッチン。
【発明の詳細な説明】
【技術分野】
【０００１】
本発明は、収納装置に関し、特に、システムキッチンなどに用いられ、収納体に収納した調味料などを、収納体ごと食卓に移動でき、さらに、使用後は、収納体ごと収納できる、安全性、取扱い性、清掃性などに優れた収納装置に関する。
【背景技術】
【０００２】
従来、システムキッチン等に設けられる収納装置は、その使用頻度が極めて多いことから、取扱い性、安全性、収納性などを向上させることが要求されてきた。
また、上記収納装置は、通常、構成要素がほぼ定まっており、かつ、販売価格が高額にならないように、構成要素の点数も限定されている。そのため、収納装置のメーカは、構成要素の点数が限定され、かつ、単純な（廉価な）構造が要求される各構成要素に対して、きめ細かな工夫を施すことにより、取扱い性や収納性などを向上させ、購買意欲を刺激する様々な収納装置を開発してきた。
【０００３】
たとえば、実用新案文献１には、摺動台を介してスライドされる皿台に設けられた側枠に、収納棚を係合吊設したスライドラックの技術が開示されている。
また、実用新案文献２には、スライドされる二本の棒材に、引掛部を有するトレイを引掛係止する引き出し体へのトレイ取り付け構造の技術が開示されている。
なお、上記収納棚やトレイは、被収納体を収納した状態でも、側枠や棒材から着脱自在な構造としてある。これにより、ユーザは、収納棚やトレイに収納された被収納物を、収納棚やトレイごとまとめて取り出すことができる。
【特許文献１】実開平２−１４５１２８号公報
【特許文献２】実開平２−１４９５３５号公報
【発明の開示】
【発明が解決しようとする課題】
【０００４】
しかしながら、実用新案文献１、２の技術は、収納棚やトレイを取り外したり取り付ける際、収納棚やトレイの高さに応じた距離だけ、収納棚やトレイを上下方向に移動させる必要があり、取扱い性が悪いといった問題があった。このことは、収納棚やトレイに収納された被収納物を、収納棚やトレイごとまとめて取り出し、まとめて戻したいユーザにとっては、全く不便であった。
また、実用新案文献２の技術は、二つのトレイを並べることにより、スライド方向の位置決めが行われる構成となっているので、一つのトレイを取り出し、もう一つのトレイだけが取り付けられた状態では、取り付けられた一つのトレイがスライド方向に移動してしまい、安全性に欠けるといった問題があった。
【０００５】
さらに、実用新案文献１の技術は、たとえば、被収納体から液体が漏れると、漏れた液体が皿台に付着してしまい、この付着した液体を拭き取る際の清掃性が悪いといった問題があった。
また、実用新案文献２の技術は、たとえば、被収納体から液体が漏れると、漏れた液体がトレイの底に付着し、トレイの底が深いために、この付着した液体を拭き取る際の清掃性が悪いといった問題があった。
【０００６】
本発明は、上記諸問題を解決すべく、収納体に収納された被収納物を、収納体ごとまとめて取り出し、まとめて戻すことができ、さらに、開閉する際に収納体の移動や転倒を防止するといった安全性、取扱い性、清掃性などに優れた収納装置の提供を目的とする。
【課題を解決するための手段】
【０００７】
この目的を達成するために、本発明の収納装置は、スライドする載置板と、この載置板に取外し自在に載置され、スライド方向及びこのスライド方向と直交する方向に対する係止部を有する収納体と、前記載置板の先端部に設けられた前板を具備し、前記前板が、接合手段を介して、前記載置板に着脱自在に取り付けられ、かつ、前記接合手段が、前記載置板に固定される基部と、前記前板に固定される被接合部材と、前記基部と前記被接合部材とを連結する連結部材とを有し、前記基部が、前記前板を支持するとともに前記前板の水平方向の傾きを規制する支持部を有する構成としてある。
【０００８】
また、本発明は、システムキッチンの発明としても有効であり、本発明のシステムキッチンは、請求項１に記載の収納装置が、端部の狭い空間に取り付けられた構成としてある。
【発明の効果】
【０００９】
本発明における収納装置によれば、収納体に収納された被収納物を、収納体ごとまとめて取り出し、まとめて戻すことができ、さらに、安全性、取扱い性、清掃性などを向上させることができる。
【図面の簡単な説明】
【００１０】
【図１】図１は、本発明の一実施形態にかかる収納装置を説明するための概略側面図を示している。
【図２】図２は、本発明の一実施形態にかかる収納装置を説明するための概略平面図を示している。
【図３】図３は、本発明の一実施形態にかかる収納装置を説明するための概略正面図を示している。
【図４】図４は、本発明の一実施形態にかかる収納装置を説明するための概略斜視図を示している。
【図５】図５は、本発明の一実施形態にかかる収納装置のガイドレールを説明するための要部の概略斜視図を示している。
【図６】図６は、本発明の一実施形態にかかる収納装置の載置板を説明するための概略図であり、（ａ）は平面図を示しており、（ｂ）は側面図を示しており、（ｃ）は正面図を示している。
【図７】図７は、本発明の一実施形態にかかる収納装置の収納体を説明するための概略拡大図であり、（ａ）は平面図を示しており、（ｂ）は側面図を示しており、（ｃ）は正面図を示している。
【図８】図８は、本発明の一実施形態にかかる収納装置のトレイを説明するための概略拡大図であり、（ａ）は平面図を示しており、（ｂ）は正面図を示している。
【図９】図９は、本発明の一実施形態にかかる収納装置の仕切り部材を説明するための概略拡大図であり、（ａ）は平面図を示しており、（ｂ）は正面図を示している。
【図１０】図１０は、本発明の一実施形態にかかる収納装置の接合手段を説明するための概略拡大図であり、（ａ）は基部の正面図を示しており、（ｂ）は基部の側面図を示しており、（ｃ）は基部の平面図を示しており、（ｄ）は被接合部材の正面図を示しており、（ｅ）は被接合部材の側面図を示しており、（ｆ）は被接合部材の平面図を示している。
【図１１】図１１は、本発明の一実施形態にかかる収納装置の組立て手順を説明するための概略図であり、（ａ）は接合手段を取り付けた後の斜視図を示しており、（ｂ）は載置板を取り付ける斜視図を示しており、（ｃ）は前板を取り付ける斜視図を示している。
【図１２】図１２は、本発明の一実施形態にかかる収納装置の使用方法などを説明するための概略図であり、（ａ）は収納体を取り付ける斜視図を示しており、（ｂ）は収納体の取り付けられた斜視図を示しており、（ｃ）は収納体及び前板を取り外した斜視図を示している。
【発明を実施するための形態】
【００１１】
図１、２、３、４において、本実施形態の収納装置は、システムキッチン１０に取り付けられる収納装置としてあり、ガイドレール１、載置板２、収納体３、前板４及び接合手段５などを具備している。
なお、図１，２，３，４において、内部構造が理解しやすいように、前板４やシステムキッチン１０を点線で図示してある。
【００１２】
＜ガイドレール＞
図１〜５において、ガイドレール１は、レール１１及びベース１２などを有している。
ベース１２は、ほぼＬ字状に折り曲げられた細長い一対の板部材であり、システムキッチン１０の対向する側面に、それぞれ固定されている。
また、二本のレール１１は、溝型に折り曲げられた細長い板部材であり、それぞれ各ベース１２にスライド自在に装着されている。レール１１は、上面のスライド閉方向側に、載置板２の主板２１を挟むように係止する係止片１１１が形成されており、また、上面のスライド開方向側に、載置板２を螺着するための雌ねじ１１２が切られている。
なお、本実施形態のガイドレール１は、減速手段を備えており、勢いよく閉められた場合であっても、レール１１が減速されるので、被収容物（図示せず）などに衝撃が加わるといった不具合を防止する。
【００１３】
＜載置板＞
図１〜６において、載置板２は、収納体３が載置される板状部材であり、プレス加工により成形される金属板としてある。この載置板２は、一対のレール１１に対応したほぼ細長い矩形状の主板２１と、主板２１の長手方向に沿った両縁部から下方に折り曲げられた一対の側板２２と、主板２１のスライド閉方向側の縁部から上方に折り曲げられたガード板２３とからなっている。また、載置板２は、ガイドレール１のレール１１に固定され、スライド方向に自在にスライドする。
【００１４】
主板２１は、一対のレール１１の係止片１１１に対応する位置に、矩形状の開口部２１１が形成されている。また、収納体３の載置位置に対応するほぼ中央部の二箇所に、スライド方向に延びた長孔２１２が形成されている。また、一対のレール１１の雌ねじ１１２に対応する位置に、スライド方向と直交する方向に延びたねじ用長孔２１３が形成されている。さらに、スライド開方向側の両角部近傍に、接合手段５の基部５１を螺着するための雌ねじ２１４が切られている。
また、主板２１は、平板状としてあるので、清掃性に優れており、たとえば、角部に汚れが付着するといった不具合を防止することができる。
【００１５】
側板２２は、所定の幅を有する細長い矩形状である。後述する収納体３の脚３４１は、この一対の側板２２の表面を挟むように係止する。すなわち、脚３４１が長く、かつ、側板２２の幅が広いほど、収納体３を倒そうとする外力に対する転倒抑止力を増加させることができるので、脚３４１などの長さを調整することにより、被収納物の重量などに応じた転倒抑止力を容易に得ることができる。
また、ガード板２３は、細長い矩形状としてあり、異物などが主板２１を転がって、システムキッチン１０の内部に侵入するのを効果的に防止する。
なお、本実施形態の載置板２は、薄い金属板をプレス加工することにより、所定の幅を有する側板２２を形成する構成としてあるが、この構成に限定されるものではない。たとえば、載置板２の代わりに、所定の厚さを有する矩形平板を用いても、被収納物の重量などに応じた転倒抑止力を得ることができる。
【００１６】
＜収納体＞
図１〜７において、収納体３は、金属製の丸棒からなる骨組構造を有しており、一つのベース骨組３１、一つのスライド方向ガイド３２、二つの周方向ガイド３３、二本の脚棒３４、及び、一本の係止棒３５などを有している。このようにすると、収納体３の軽量化を図るとともに、収納体３の美観を向上させることができる。
【００１７】
ベース骨組３１は、スライド方向と直交する方向に沿って、対向するように設けられた一対の直線状の底棒３１１と、金属棒を下方に向かって溝型に折り曲げた一対のサイドガード３１２とを有している。このベース骨組３１は、通常、まず一本の金属棒を折り曲げて細長い矩形環状体を形成し、次に、この矩形環状体の長手方向の両端部を上方に折り曲げ、さらに、端部どうしを接合することによって形成される。
また、スライド方向ガイド３２は、通常、まず一本の金属棒を折り曲げて細長い矩形環状体（短手方向の距離が、底棒３１１の長さのほぼ半分である細長い矩形環状体）を形成し、次に、この矩形環状体の長手方向の両端部を上方に折り曲げ（この折り曲げ部の高さは、底棒３１１から下段の周方向ガイド３３までの距離の約半分としてある。）、さらに、端部どうしを接合することによって形成される。このスライド方向ガイド３２は、長手方向の金属棒が、底棒３１１と直交する向きに、底棒３１１上に載置された状態で、底棒３１１と接合される。
【００１８】
係止棒３５は、直線状の丸棒の中央部が下方に向かってほぼ半円状に湾曲しており、この湾曲した突出部３５１が、載置板２の長孔２１２に係入される。また、係止棒３５は、両端部がそれぞれ一対の底棒３１１のほぼ中央部に載置された状態で、底棒３１１と接合される。
上記突出部３５１が長孔２１２に係入されることにより、スライド方向及びこのスライド方向と直交する方向に対して、収納体３が係止され位置決めされる。これにより、たとえば、載置板２を勢いよくスライドさせても、収納体３がスライド方向に移動するといった不具合を防止することができる。
なお、本実施形態では、一本の丸棒に曲折加工を施すことにより、突出部３５１を有する係止棒３５を製造しているが、これに限定されるものではなく、たとえば、一本の丸棒に、半円状に形成したもう一本の丸棒からなる突出部３５１を接合してもよい。
【００１９】
脚棒３４は、直線状の丸棒の両端部が下方に向かって折り曲げられ、さらに、折り曲げられた部分の先端側の両端部が水平方向に折り曲げられた形状としてある。この下方に折り曲げられた部分及びさらに水平方向に折り曲げられた部分からなる脚３４１が、載置板２の一対の側板２２を挟むように係止する。この脚棒３４は、底棒３１１と直交する向きに、一対の底棒３１１の端部上に載置された状態で、底棒３１１と接合される。すなわち、本実施形態では、二組の一対の（合計四本の）脚３４１が、側板２２を挟むように係止する。
上記脚３４１が側板２２を挟むように係止することにより、スライド方向と直交する方向に対して、収納体３が係止され位置決めされる。さらに、この脚３４１は、載置板２上で収納体３を回転させる方向、及び、スライド方向と直交する方向に収納体３を倒そうとする方向に対しても、収納体３を係止し位置決めすることができる。特に、スライド方向と直交する方向に収納体３を倒そうとする方向に対しては、脚３４１の高さＨを調整することにより、所要の転倒抑止力を得ることができる。すなわち、収納体３を取り外したり、取り付けたりする際、距離Ｈだけ収納体３を上下方向に移動させるだけでよいので、取扱い性を大幅に向上させることができる。さらに、倒れ防止のカバー（図示せず）などを設ける必要がないので、製造原価のコストダウンを図ることができる。
【００２０】
上記脚３４１は、たとえば、収納体３をテーブル上に載置したとき、脚３４１の水平方向に折り曲げられた部分がテーブルと当接する。すなわち、脚３４１の水平方向に折り曲げられた部分が、脚体として機能するので、収納体３を安定した状態で、テーブルに載置することができる。
また、脚３４１は、上方から見ると、周方向ガイド３３の内側に収まる構造としてあるので、収納体３を昇降させる際、脚３４１が隣りの収納体３と接触するといった不具合を防止することができる。
【００２１】
また、収納体３の脚３４１を、ゴムや樹脂などのクッション材からなる保護部材３４２で被覆するとよい。本実施形態では、保護部材３４２として、樹脂製のチューブを用いており、このチューブは、該チューブに脚３４１の水平な先端部分が挿入された状態で、脚３４１に取り付けられている。このようにすると、たとえば、収納体３に複数の調味料を収納した場合、収納体３を載置板２から取り外し、テーブルなどに直接的に載置しても、テーブルに傷を付けるといった不具合を回避することができる。
また、保護部材３４２の弾性を利用して、脚３４１が側板２２を適度の力で押圧する構成としてもよく、このようにすると、脚３４１により係止した際の収納体３のがたつきを抑制でき、また、転倒防止力を向上させることができる。
なお、本実施形態のチューブは、該チューブに脚３４１の水平な先端部分が挿入された状態で、脚３４１に取り付けられているが、これに限定されるものではない。たとえば、図示してないが、チューブが、該チューブに脚３４１の水平な先端部分及び下方に折り曲げられた垂直な部分が挿入された状態で、脚３４１に取り付けられてもよい。このようにすると、脚３４１により係止した際の収納体３のがたつきを抑制でき、また、転倒防止力をさらに向上させることができる。
【００２２】
周方向ガイド３３は、通常、まず一本の金属棒を折り曲げて細長い矩形環状体（短手方向の距離が、サイドガード３１２どうしの距離に対応し、長手方向の距離が、スライド方向ガイド３２の長手方向の距離とほぼ同じである矩形環状体）を形成し、さらに、端部どうしを接合することによって形成される。この周方向ガイド３３は、長手方向の金属棒が、周方向ガイド３３に挟まれた状態で、周方向ガイド３３に上下二段に接合される。
【００２３】
また、収納体３が、収納体３に着脱自在に取り付けられるトレイ３６を有するとよい。本実施形態のトレイ３６は、図８に示すように、スライド方向ガイド３２及びサイドガード３１２に対応する矩形状の底板３６１と、この底板３６１の周縁部に立設された矩形環状の側板３６２とからなっている。また、トレイ３６の材料としては、樹脂、金属、木材などが使用される。このようにすると、たとえば、被収納体が液体調味料などであり、この液体調味料などが漏れた場合であっても、漏れた液体調味量などを受けることができ、さらに、トレイ３６を取り外して容易に洗浄することができる。
【００２４】
また、収納体３が、収納体３に着脱自在かつ取付け位置を変更自在に取り付けられる仕切り部材３７を有するとよい。本実施形態の仕切り部材３７は、図９に示すように、両端部が反対方向に約４５°折り曲げられた形状の仕切り棒３７１と、仕切り棒３７１の両端部に設けられた樹脂製の係止部材３７２とからなっており、さらに、係止部材３７２には、周方向ガイド３３に係合する円弧状の係止部３７３が形成されている。このようにすると、収納体３内における被収納体の移動可能距離を制限することができるので、たとえば、被収納体が収納体３内で大きく移動したり、あるいは、倒れるといった不具合を防止することができる。
なお、本実施形態の収納体３は、上述したように骨組構造を有しているが、これに限定されるものではない。たとえば、板部材からなる箱構造を有していてもよい。
また、収納体３の材料は、金属に限定されるものではなく、たとえば、樹脂や木材などでもよい。
【００２５】
＜前板＞
前板４は、図１〜３に示すように、載置板２の先端部に取り付けられる板部材であり、収納装置が閉められた際、システムキッチン１０の開口部を塞ぐ矩形状としてある。
また、この前板４は、接合手段５を介して載置板２に着脱自在に取り付けられている。このようにすると、たとえば、システムキッチン１０が壁に隣接して設置されており、すなわち、図４において、システムキッチン１０の側面が壁（図示せず）に接している場合、前板４を一旦取り外して、壁紙（図示せず）を壁に貼ることができ、美観を損ねるといった不具合を回避することができる。また、清掃する際などに、前板４を取り外すことができるので、隙間の汚れなどを容易に清掃することができる。
【００２６】
＜接合手段＞
図１０は、本発明の一実施形態にかかる収納装置の接合手段を説明するための概略拡大図であり、（ａ）は基部の正面図を示しており、（ｂ）は基部の側面図を示しており、（ｃ）は基部の平面図を示しており、（ｄ）は被接合部材の正面図を示しており、（ｅ）は被接合部材の側面図を示しており、（ｆ）は被接合部材の平面図を示している。
図１０において、接合手段５は、載置板２に固定される基部５１と、前板４に固定される被接合部材５２と、基部５１と被接合部材５２とを連結する連結部材としての連結ねじ５３とを有している。
【００２７】
基部５１は、載置板２に載置された状態で螺着される矩形状の取付板５１１と、この取付板５１１の前板４側の端部から立設された矩形状の接合板５１２と、この接合板５１２の左右両端部からシステムキッチン１０側に立設された、補強のための側板５１７とからなっている。なお、この基部５１は、通常、プレス加工により製造される。
取付板５１１は、載置板２の雌ねじ２１４と対応する位置に、ねじ穴５１８が形成されている。
接合板５１２は、上縁中央部から下方に向かって切欠５１５が形成され、この切欠５１５の先端が、長手が水平方向の長孔５１４と繋がっている。この切欠５１５を通るようにして、連結ねじ５３が長孔５１４に装入される。また、連結ねじ５３が、長孔５１４内を水平方向に移動できるので、前板４の水平方向の取付け位置を調整することができる。また、左右両端部の長孔５２３と対応する位置に、ほぼ正方形状の開口部５１６が形成されており、後述するように、この開口部５１６によって、前板４の位置合わせを行った状態でねじ５４を締め込むことができる。さらに、長孔５１４の下方には、水平方向に延びた細長の支持部５１３が、前板４側に突き出ている。この支持部５１３は、上面に被接合部材５２を支持するとともに、前板４の水平方向の傾きを規制することができる。また、支持部５１３を設けることにより、一本の連結ねじ５３を回すことによって、前板４を取り付けたり取り外したりすることができ、作業性を向上させることができる。
【００２８】
被接合部材５２は、ほぼ細長い矩形状の平板の中央部を、システムキッチン１０側に溝型に折り曲げた形状としてあり、左右両側の取付板５２１と中央部の被接合板５２２とを有している。
取付板５２１は、長手が上下方向の長孔５２３が形成されており、この長孔５２３にねじ５４を挿入し、被接合部材５２を前板４に螺着する際、前板４の水平方向の傾きや、前板４の高さ方向の位置を調整することができる。
被接合板５２２は、ほぼ中央に雌ねじが切られており、この雌ねじに連結ねじ５３が締め込まれ、締め込まれた連結ねじ５３の先端が、抜けないようにかしめられている。
【００２９】
次に、上記構成の収納装置の組立て手順や使用方法などについて、図面を参照して説明する。
図１１は、本発明の一実施形態にかかる収納装置の組立て手順を説明するための概略図であり、（ａ）は接合手段を取り付けた後の斜視図を示しており、（ｂ）は載置板を取り付ける斜視図を示しており、（ｃ）は前板を取り付ける斜視図を示している。
また、図１２は、本発明の一実施形態にかかる収納装置の使用方法などを説明するための概略図であり、（ａ）は収納体を取り付ける斜視図を示しており、（ｂ）は収納体の取り付けられた斜視図を示しており、（ｃ）は収納体及び前板を取り外した斜視図を示している。
図１１（ａ）において、まず、載置板２は、接合手段５の基部５１が螺着され、さらに、被接合部材５２が基部５１に取り付けられている。
次に、接合手段５の取り付けられた載置板２は、係止片１１１が開口部２１１に入るように、引き出されたレール１１に載置され、スライド閉方向に移動させられる。これにより、係止片１１１は、載置板２を係止する。
【００３０】
次に、図１１（ｂ）に示すように、ねじ２４が、ねじ用長孔２１３に挿入され、レール１１の雌ねじ１１２に締め込まれる。この際、ねじ用長孔２１３により、レール１１の先端部どうしの位置を調整できるので、レール１１の滑りが悪くなるといった不具合を回避することができる。
続いて、システムキッチン１０の開口部に対して、前板４の位置合わせを行い、その後、ねじ５４を開口部５１６及び長孔５２３に挿入し、基部５１を前板４に螺着する。この際、基部５１に開口部５１６を形成してあるので、被接合部材５２を基部５１に接合させた状態で作業することができ、前板４の取付け位置精度を向上させることができる。
なお、ガイドレール１は、通常、システムキッチン１０を組み立てる際、あらかじめシステムキッチン１０に取り付けられている。
【００３１】
次に、図１２（ａ）に示すように、収納体３が、四本の脚３４１及び突出部３５１によって載置板２に係止された状態で、載置板２上に載置される。
この際、収納体３は、まず、載置板２の上方に移動され、載置板２上に載置されようとする。この移動は、太い矢印（移動線）で示すように、ほぼ水平方向への直線的な移動であるので、効率がよい。続いて、収納体３の四本の脚３４１が載置板２の左右方向の縁部の近傍に位置し、突出部３５１が載置板２の主板２１と当接する。そして、収納体３は、ほぼ水平となるように維持されながら、太い実線（当接線）で示すように、突出部３５１が主板２１と当接した状態で移動され、突出部３５１が主板２１の長孔２１２に係入される位置に移動すると、太い点線（降下線）で示すように、突出部３５１の湾曲した表面にガイドされるようにして、収納体３がほぼ自動的に降下する。すなわち、収納体３は、四本の脚３４１が側板２２を挟むように係止し、かつ、突出部３５１が長孔２１２に係入され、収納体３が載置板２に載置される。この作業は、突出部３５１の湾曲した表面によって収納体３がガイドされるので、非常に容易である。
【００３２】
また、載置された収納体３は、図１２（ｂ）に示すように、四本の脚３４１及び突出部３５１によって係止されるので、スライド方向及びこのスライド方向と直交する方向に対して十分な係止力を発揮することができる。また、上下方向に長い（距離Ｈを有する）脚３４１が、側板２２を挟むように係止するので、スライド方向と直交する方向に、収納体３が倒れるといった不具合を効果的に防止することができる。
【００３３】
さらに、載置された収納体３は、図１２（ｂ）に示すように、太い点線（上昇線）に沿って上方にほぼ距離Ｈだけ持ち上げると、係止状態が解除され、この後は、太い矢印（移動線）で示すように、ほぼ斜め上方への直線的な移動であるので、効率がよい。
【００３４】
以上説明したように、本実施形態の収納装置は、収納体３に収納された被収納物を、収納体３ごとまとめて取り出し、まとめて戻すことができる。この際、四本の脚３４１が一対の側板２２を挟むように係止し、かつ、突出部３５１が長孔２１２に係入されるので、収納体３が移動したり倒れるといった不具合を防止することができる。さらに、収納体３を載置板２に取り付ける際の作業は、上記移動線＋当接線＋降下線に沿った動作となるので、効率がよい。また、収納体３を載置板２から取り出す際の作業は、上記上昇線＋移動線に沿った動作となるので、この動作も効率がよい。すなわち、本実施形態の収納装置は、優れた取扱い性を実現することができる。
【００３５】
また、本発明は、システムキッチンの発明としても有効であり、本発明のシステムキッチンは、たとえば、上記実施形態の収納装置が、端部の狭い空間に取り付けられた構成としてある。
このようにすると、本発明のシステムキッチンは、優れた取扱い性を有する収納装置を備えることにより、付加価値を向上させることができる。
【００３６】
本発明の収納装置及びシステムキッチンについて、好ましい実施形態を示して説明したが、本発明は、上述した実施形態にのみ限定されるものではなく、本発明の範囲で種々の変更実施が可能であることは言うまでもない。
たとえば、上記実施形態では、収納装置がシステムキッチン１０に設けられているが、これに限定されるものではなく、たとえば、被収容物などに応じて様々な物品（工具棚、部品棚、医療器具用棚など）に設けることができる。
また、収納体３の構造や数量は、上記実施形態の構造や数量に限定されるものではなく、たとえば、被収容物などに応じて様々な構造や数量の収納体を選択的に用いる構成としてもよい。このようにすると、本発明にかかる収納装置を多目的に利用することができ、商品としての付加価値をさらに向上させることができる。
【符号の説明】
【００３７】
１  ガイドレール
２  載置板
３  収納体
４  前板
５  接合手段
１０  システムキッチン
２１  主板
２２  側板
２３  ガード板
２４  ねじ
３１  ベース骨組
３２  スライド方向ガイド
３３  周方向ガイド
３４  脚棒
３５  係止棒
３６  トレイ
３７  仕切り部材
５１  基部
５２  被接合部材
５３  連結ねじ
５４  ねじ
１１  レール
１２  ベース
１１１  係止片
１１２  雌ねじ
２１１  開口部
２１２  長孔
２１３  ねじ用長孔
２１４  雌ねじ
３１１  底棒
３１２  サイドガード
３４１  脚
３４２  保護部材
３５１  突出部
３６１  底板
３６２  側板
３７１  仕切り棒
３７２  係止部材
３７３  係止部
５１１  取付板
５１２  接合板
５１３  支持部
５１４  長孔
５１５  切欠
５１６  開口部
５１７  側板
５１８  ねじ穴
５２１  取付板
５２２  被接合板
５２３  長孔
【図１】
0005687665.tif 000002
【図２】
0005687665.tif 000003
【図３】
0005687665.tif 000004
【図４】
0005687665.tif 000005
【図５】
0005687665.tif 000006
【図６】
0005687665.tif 000007
【図７】
0005687665.tif 000008
【図８】
0005687665.tif 000009
【図９】
0005687665.tif 000010
【図１０】
0005687665.tif 000011
【図１１】
0005687665.tif 000012
【図１２】
0005687665.tif 000013